(57)【要約】【課題】  搬入口及びタービン建屋内における搬入スペースの占有面積を極力少なくし、建屋全体のスパンを小さくできるようにする。【解決手段】  タービン建屋１ａ〜１ｃの内部においては、発電機２と、低圧タービン３と、高圧タービン４が、それぞれの軸（図示せず）が同一直線上に位置するように配設される一方、初号機用のタービン建屋１ａには、高圧タービン４に近いタービン建屋１ａの二つの角のうちの一方の角付近において、機器搬入スペース５が確保されたものとなっており、この機器搬入スペース５の位置に搬入口６が設けられ、この一つの搬入口６と機器搬入スペース５を用いてそれぞれの建屋１ａ〜１ｃへの機器の搬入を行うようにすることで、建屋全体のスパンが従来に比して小さくできるものとなっている。【選択図】図１
2006152823.tif 000002
【特許請求の範囲】
【請求項１】
複数のタービン建屋が隣接配置されてなるタービン建屋の配置構造であって、機器搬入スペースを前記複数のタービン建屋のうち、初号機用のタービン建屋にのみ設けたことを特徴とするタービン建屋の配置構造。
【請求項２】
複数のタービン建屋が隣接配置されてなるタービン建屋の配置構造であって、機器搬入スペースを前記複数のタービン建屋のうち、初号機用のタービン建屋と次号機用のタービン建屋との間に設けたことを特徴とするタービン建屋の配置構造。
【請求項３】
初号機用のタービン建屋におけるタービンと発電機の軸方向での配置と、次号機用のタービン建屋におけるタービンと発電機の軸方向での配置とが鏡対称となり、かつ前記それぞれのタービンが隣接する位置となることを特徴とする請求項２記載のタービン建屋の配置構造。
【請求項４】
初号機用のタービン建屋におけるタービンと発電機の軸方向での配置と、次号機用のタービン建屋におけるタービンと発電機の軸方向での配置とが鏡対称となり、かつ前記それぞれの発電機が隣接する位置となることを特徴とする請求項２記載のタービン建屋の配置構造。
【請求項５】
ボイラー設備がタービン建屋に隣接して、かつ、前記タービン建屋内のタービン及び発電機の配置軸方向と同一方向においてＩ型配置が形成されるよう設けられたことを特徴とするタービン建屋の配置構造。
【請求項６】
タービン建屋が複数基隣接配置されてなることを特徴とする請求項５記載のタービン建屋の配置構造。
【請求項７】
機器搬入スペースを複数のタービン建屋のうち、初号機用のタービン建屋にのみ設けたことを特徴とする請求項６記載のタービン建屋の配置構造
【請求項８】
機器搬入スペースを複数のタービン建屋のうち、初号機用のタービン建屋と次号機用のタービン建屋との間に設けたことを特徴とする請求項６記載のタービン建屋の配置構造。
【発明の詳細な説明】
【技術分野】
【０００１】
本発明は、火力発電プラントや原子力発電プラントにおけるタービン建屋の配置構造に関する。
【背景技術】
【０００２】
例えば、複数の号機（ユニット）からなる火力発電プラントにおいて、複数の火力タービン建屋を設置する場合、蒸気タービンと発電機との軸を同一直線上で互いに平行にスライドさせたように配置するのが一般的である。図６には、従来のこのようなタービン建屋における配置構成例が示されており、以下、同図を参照しつつ説明する。
【０００３】
この例は、３基のタービン建屋を設けた例であり、３基のタービン建屋２０ａ〜２０ｃは、その内部において、同一軸線上に配設される発電機２１、低圧タービン２２及び高圧タービン２３がそれぞれの配設方向と同一方向に隣接して設けられたものとなっている。そして、各号機のタービンエリアはそのままとして、大物機器の搬入スペースを確保するための専用スパン２４ａ、２４ｂが隣接するタービン建屋の間にそれぞれ設けられている。すなわち、タービン建屋２０ａ、２０ｂの間、タービン建屋２０ｂ、２０ｃの間に、専用スパン２４ａ、２４ｂがそれぞれ設けられている。図６中のＬ６は、建屋全体のスパンである。
【０００４】
ところで、複数の号機（ユニット）が設けられた発電プラントにおけるタービン建屋においては、建築面積や容積の低減を図るために複数のタービンに対してタービン建屋の共通化を図ったものや、機器の搬入時間の短縮等の観点からメンテナンス建屋を共通としたもの等がある（例えば、特許文献１、特許文献２等参照）。
【特許文献１】特開平１０−２３９４７７号公報（第４−６頁、図１−図９）
【特許文献２】特開平９−４９８９４号公報（第３−４頁、図１−図１４）
【発明の開示】
【発明が解決しようとする課題】
【０００５】
しかしながら、上述のように、複数のタービン建屋をその内部に設けられるタービン及び発電機の配設方向と同一の軸方向で隣接配置し、かつ、隣接するタービン建屋の間に機器搬入のための専用スパンを設ける構成では、タービン建屋がタービン及び発電機の軸方向の長さのみならず、専用スパンとその専用スパンに設けられる搬入口の幅を考慮する必要があるため、タービン及び発電機の軸方向で長大なものとならざる得ず、併設する号機の数が増加するに従い、建屋全体のスパンＬ６の長大化がより一層顕著となっていた。
【０００６】
すなわち、従来構造のタービン建屋においては、タービン建屋が長大化し、建築費用が嵩むだけでなく、タービン及び発電機の軸方向における長大化による立地スペースの確保の困難性を招き、立地条件によっては、所望する基数の号機（ユニット）の設置ができなくなるという事態も招きかねないという問題がある。
【０００７】
また、タービン及び発電機が同一の軸方向で平行スライド配置であるため、複数基の号機（ユニット）が設けられる場合、初号機の発電機ロータの搬入方法と次号機以降の発電機ロータの搬入方法とが異なり、タービン建屋の建て増しの度に搬入方法を立案する必要が生じ、作業コストが割高になるという問題がある。
【０００８】
本発明の目的は、搬入口及びタービン建屋内における搬入スペースの占有面積が極力少なくて済み建屋全体のスパンＬ６が小さなタービン建屋の配置構造を提供することである。
【課題を解決するための手段】
【０００９】
上記本発明の目的を達成するため、本発明に係るタービン建屋の配置構造は、複数のタービン建屋が隣接配置されてなるタービン建屋の配置構造であって、機器搬入スペースを前記複数のタービン建屋のうち、初号機用のタービン建屋にのみ設けてなるものである。
【発明の効果】
【００１０】
本発明によれば、搬入口及び機器搬入スペースを複数のタービン建屋で共用できるような配置としたので、従来と異なり、タービン建屋が増えても、搬入口及び機器搬入スペースをそれに伴い増やす必要はなく、建屋の全体スパンを小さくすることができるという効果を奏するものである。
【発明を実施するための最良の形態】
【００１１】
以下、本発明の実施の形態について、図１乃至図５を参照しつつ説明する。なお、以下に説明する部材、配置等は本発明を限定するものではなく、本発明の趣旨の範囲内で種々改変することができるものである。
【００１２】
最初に、本発明の実施の形態における第１の構成例について、図１を参照しつつ説明する。この構成例は、３つのタービン建屋１ａ〜１ｃが隣接配置された例である。すなわち、まず、タービン建屋１ａ〜１ｃの内部においては、発電機２と低圧タービン３と高圧タービン４とがそれぞれの回転軸（図示せず）が同一直線上に位置するように配設されており、その配置の方向は、いずれのタービン建屋１ａ〜１ｃにおいても同一となっている。
【００１３】
そして、この構成例におけるタービン建屋１ａ〜１ｃは、発電機２、低圧タービン３及び高圧タービン４が配設された軸方向（配設軸方向）において、互いに密着するように隣接配置されたものとなっている。この構成例では、タービン建屋１ａが初号機用であり、タービン建屋１ｂが次号機用であり、また、タービン建屋１ｃが三号機用となっているものとする。また、図１において、符号Ａが付された実線部分は、タービン建屋１ａとタービン建屋１ｂの境界であり、符号Ｂで示された実線部分は、タービン建屋１ｂとタービン建屋１ｃとの境界となっている。そして、Ｌ１は第１の構成例における建屋のスパンである。
【００１４】
そして、初号機用のタービン建屋１ａにおいては、高圧タービン４に近いタービン建屋１ａの二つの角のうちの一方の角付近において、機器搬入スペース５が確保されたものとなっており、さらに、この機器搬入スペース５には、後述するように搬入口６が位置するようになっている。
【００１５】
すなわち、この構成例における機器搬入スペース５は、その平面形状が、発電機２、低圧タービン３及び高圧タービン４の配置軸方向に対して直交する方向に短冊状形状に、しかも、高圧タービン４に近いタービン建屋１ａの一方の角を含むように設けられたものとなっている。
【００１６】
この機器搬入スペース５の長手方向の長さは、搬入口６が位置する機器搬入スペース５の一方の端部と反対側の端部が、発電機２などの配置軸の近傍近くに位置する程度となっている。また、機器搬入スペース５の短手方向の長さは、大型の機器の搬入が可能な搬入口６を設けることができるようなものとなっている。
【００１７】
なお、この機器搬入スペース５の広さは、あくまでも一例であり、勿論、このような広さに限定される必要はなく、タービン建屋１ａ〜１ｃの規模等に応じて適宜設定されるべきものである。
【００１８】
搬入口６は、発電機２、低圧タービン３及び高圧タービン４の配設軸方向と平行するタービン建屋１ａの長手方向の二つの面７ａ、７ｂのうち、上述の機器搬入スペース５に接する一方の面７ａに形成されたものとなっている。
【００１９】
かかるタービン建屋の配置構造においては、例えば、仮に、初号機用のタービン建屋１ａだけが最初に設けられたとすると、発電機２等の機器の搬入は、勿論、搬入口６から行い、機器搬入スペース５に一時的に置き、図示されない天井部分に設けられたクレーンで吊り上げて、所望する場所へ移動、設置することで機器の設置工事がなされる点は、従来と変わるところはない。
【００２０】
そして、初号機用のタービン建屋１ａが設けられた後に、次号機及び三号機用のタービン建屋１ｂ、１ｃが続いて設けられたとする。
【００２１】
この場合、次号機用のタービン建屋１ｂ及び三号機用のタービン建屋１ｃへの機器の搬入は、初号機用のタービン建屋１ａに設けられた搬入口６から行われることとなる。
【００２２】
すなわち、初号機の場合と同様に、搬入口６から搬入した機器を機器搬入スペース５に一時的に置き、図示されない天井部分に設けられたクレーンで吊り上げて、タービン建屋１ｂ、１ｃのいずれかへ移動、設置することができる。
【００２３】
上述のようなタービン建屋の配置構造を採ることで、従来に比して、機器搬入口や建屋内の搬入スペースが極力少なくなると共に、建屋全体のスパンＬ１が図６の従来の建屋のスパンＬ６に比べて小さくなる。また、最初から初号機用から例えば３号機用のタービン建屋１ａ〜１ｃを設置する必要はなく、最初に搬入口を有する初号機用のタービン建屋１ａを設けてしまえば、次号機以降は、必要に応じて順次設置することが、初号機を運転しながらでも可能となる。
【００２４】
次に、第２の構成例について、図２を参照しつつ説明する。なお、図１に示された構成要素と同一の構成要素については、同一の符号を付して、その詳細な説明を省略し、以下、異なる点を中心に説明することとする。
【００２５】
この第２の構成例は、機器搬入スペース５及び搬入口６が初号機用のタービン建屋１ａと次号機用のタービン建屋１ｂとの間にのみ設けられた点が、図１に示された構成例と異なるものである。
【００２６】
すなわち、この構成例における機器搬入スペース５は、初号機用のタービン建屋１ａと次号機用のタービン建屋１ｂの境界Ａに対して左右対称となるように設けられたものとなっている。
【００２７】
かかる構成においても、図１に示された構成例と同様、従来に比して、機器搬入口や建屋内の搬入スペースが極力少なくなると共に、建屋全体のスパンＬ２が図６のスパンＬ６に比べて小さくなる。なお、第２の構成例では、タービン建屋１ａを初号機用のものとして説明したが、それに限らず、タービン建屋１ａの図面右手側に新たにタービン建屋を設けることも可能となる。
【００２８】
なお、機器の搬入について、図１に示された構成例で説明した手順に準じて行えば良いので、ここでの再度の詳細な説明は省略することとする。
【００２９】
次に、第３の構成例について、図３を参照しつつ説明する。なお、図１に示された構成要素と同一の構成要素については、同一の符号を付して、その詳細な説明を省略し、以下、異なる点を中心に説明することとする。
【００３０】
この第３の構成例は、機器搬入スペース５及び搬入口６が初号機用のタービン建屋１ａと次号機用のタービン建屋１ｂとの間に設けられた点は、図２に示された構成例と同一であるが、タービン建屋１ａ〜１ｃにおける発電機２等の配置が図２に示された構成例と次述するように異なるものである。
【００３１】
すなわち、図１及び図２に示された構成例においては、タービン建屋１ａ〜１ｃにおける発電機２、低圧タービン３及び高圧タービン４の配設順は、いずれのタービン建屋１ａ〜１ｃにおいても同一に設定されたものであった。
【００３２】
例えば、図１において、機器搬入スペース５が水平方向右側に位置するように紙面を見た場合に、いずれのタービン建屋１ａ〜１ｃにおいても、左側から発電機２、低圧タービン３、高圧タービン４の順に配設されたものとなっている。
【００３３】
これに対して、この第３の構成例においては、初号機用のタービン建屋１ａと次号機用のタービン建屋１ｂにおける発電機２等の配置は、境界Ａを境にして鏡対称に配置されたものとなっている点が異なるものである。
【００３４】
すなわち、初号機用のタービン建屋１ａと次号機用のタービン建屋１ｂにおいて、境界Ａに最も近い位置に高圧タービン４が配設され、次いで、境界Ａから遠ざかる方向に、順に、低圧タービン３、発電機２が配設されたものとなっている。換言すれば、初号機用のタービン建屋１ａと次号機用のタービン建屋１ｂにおける高圧タービン４が隣接するように配置されたものとなっている。
【００３５】
そして、三号機用のタービン建屋１ｃにおける発電機２等の配置は、図１に示された構成例と同一のものとなっている。
【００３６】
なお、いずれのタービン建屋１ａ〜１ｃにおいても、発電機２、低圧タービン３及び高圧タービン４は、同一の軸線上に配設されていることは図１に示された構成例と同様である。
【００３７】
かかる構成においても、従来に比して、機器搬入口や建屋内の搬入スペースが極力少なくなると共に、建屋全体のスパンＬ３が図６のスパンＬ６に比べて小さくなり、しかも、搬入口６からの機器搬入方向を同一とすることにより、搬入計画の立案、実行が容易となる。なお、第３の構成例では、タービン建屋１ａを初号機用のものとして説明したが、それに限らず、タービン建屋１ａの図面右手側に新たにタービン建屋を設けることも可能となる。
【００３８】
次に、第４の構成例について、図４を参照しつつ説明する。なお、図１に示された構成要素と同一の構成要素については、同一の符号を付して、その詳細な説明を省略し、以下、異なる点を中心に説明することとする。
【００３９】
この第４の構成例は、初号機用のタービン建屋１ａと次号機用のタービン建屋１ｂにおける発電機２等の配置が鏡対称である点は、図３に示された構成例と同一であるが、発電機２等の配設順が次述するように異なるものである。
【００４０】
すなわち、初号機用のタービン建屋１ａと次号機用のタービン建屋１ｂにおいて、境界Ａに最も近い位置に発電機２が配設され、次いで、境界Ａから遠ざかるスパンＬ６に、順に、低圧タービン３、高圧タービン４が配設されたものとなっている。換言すれば、初号機用のタービン建屋１ａと次号機用のタービン建屋１ｂにおける発電機２が隣接するように配置されたものとなっている。
【００４１】
かかる構成においても、従来に比して、機器搬入口や建屋内の搬入スペースが極力少なくなると共に、建屋全体のスパンＬ４が図６のスパンＬ６に比べて小さくなり、しかも、搬入口６からの機器搬入スパンＬ６を同一とすることにより、搬入計画の立案、実行が容易となる。なお、第４の構成例では、タービン建屋１ａを初号機用のものとして説明したが、それに限らず、タービン建屋１ａの図面右手側に新たにタービン建屋を設けることも可能となる。
【００４２】
最後に、第５の構成例について、図５を参照しつつ説明する。なお、図１に示された構成要素と同一の構成要素については、同一の符号を付して、その詳細な説明を省略し、以下、異なる点を中心に説明することとする。
【００４３】
この第５の構成例は、先の図１乃至図４に示された構成例において、タービン建屋１ａ〜１ｃの配設方向と、これら内部に配設される発電機２等の配設方向とが同一とされたものであったのに対して、発電機２等の配設方向がタービン建屋１ａ〜１ｃの配設方向に対して直交する方向とされている点が異なるものである。なお、機器搬入スペース５及び搬入口６の位置は、図２乃至図４に示された構成例と同一となっている。
【００４４】
そして、ボイラー設備８ａ〜８ｃが発電機２等の配設方向に発電機２等とＩ型が形成された配置となるように配設されたものとなっている。
【００４５】
具体的には、タービン建屋１ａ〜１ｃ内部において、発電機２、低圧タービン３及び高圧タービン４は、タービン建屋１ａ〜１ｃの配設方向と直交する方向で同一の軸線上に配設されており、特に、発電機２は、搬入口６が位置する壁側となるように配設されたものとなっている。そして、タービン建屋１ａ〜１ｃに近接して、発電機２が位置する側と反対側において、各々のタービン建屋１ａ〜１ｃと対向するようにボイラー設備８ａ〜８ｃが配設されたものとなっており、その結果、ボイラー設備８ａ〜８ｃと、それぞれと対向するタービン建屋１ａ〜１ｃにおける発電機２、低圧タービン３及び高圧タービン４の全体の配設形状がＩ型をなすように配設されたものとなっている。
【００４６】
かかる構成により、タービン建屋スパンの長大化が抑制され、かつ、立地スペースに柔軟に対応させた建屋計画の立案、実行が可能となる。
【００４７】
なお、この第５の構成例における機器搬入スペース５を図１に示された構成例と同様に、初号機用のタービン建屋１ａの角付近に設けるようにしても良い。
【図面の簡単な説明】
【００４８】
【図１】本発明の実施の形態におけるタービン建屋の配置構造の第１の構成例を示す平面図である。
【図２】本発明の実施の形態におけるタービン建屋の配置構造の第２の構成例を示す平面図である。
【図３】本発明の実施の形態におけるタービン建屋の配置構造の第３の構成例を示す平面図である。
【図４】本発明の実施の形態におけるタービン建屋の配置構造の第４の構成例を示す平面図である。
【図５】本発明の実施の形態におけるタービン建屋の配置構造の第５の構成例を示す平面図である。
【図６】従来のタービン建屋の配置構成例を示す平面図である。
【符号の説明】
【００４９】
１ａ〜１ｃ…タービン建屋、２…発電機、３…低圧タービン、４…高圧タービン、５…機器搬入スペース、６…搬入口、８…ボイラー設備、
【図１】
2006152823.tif 000003
【図２】
2006152823.tif 000004
【図３】
2006152823.tif 000005
【図４】
2006152823.tif 000006
【図５】
2006152823.tif 000007
【図６】
2006152823.tif 000008